(57)【要約】  適切な治療を行うことができる光治療装置を提供する。特に、治療部位が重度の関節リウマチ患者の指関節のような屈曲部分であっても、簡便に十分な治療光を供給することができ、その結果、適切な治療が実現できる光治療装置を提供することを目的とする。患部を配置させる第一の面と、前記第一の面に背向する第二の面とを有する導光体と；治療光を出力し、前記導光体内部に前記治療光を入射させる光源と；柔軟性および表面タック性を有し、前記第一の面の一部に配置された導光部材と；を備えた構成とした。
2012137475.tif 000002
【特許請求の範囲】
【請求項１】
患部を配置させる第一の面と、前記第一の面に背向する第二の面とを有する導光体と、
治療光を出力し、前記導光体内部に前記治療光を入射させる光源と、
柔軟性および表面タック性を有し、前記第一の面の一部に配置された導光部材と、を備えた光治療装置。
【請求項２】
前記導光部材の材質は、エラストマーである、請求項１に記載の光治療装置。
【請求項３】
前記導光部材は、前記第一の面に配置された患部のうち、前記治療光を照射すべき治療部位に当接される位置に配置された、請求項１に記載の光治療装置。
【請求項４】
前記導光部材は、前記第一の面に対して凸形状を有する、請求項１に記載の光治療装置。
【請求項５】
前記導光部材は、前記第一の面から取り外し可能な構成とした、請求項１に記載の光治療装置。
【請求項６】
前記光治療装置は、中空内部を有する保持部材を備え、
前記導光部材は、前記中空内部に挿入されて保持された構成とした、請求項１に記載の光治療装置。
【請求項７】
前記導光部材は、前記保持部材の前記中空内の周縁から隆起して保持された構成とした、請求項６に記載の光治療装置。
【請求項８】
前記保持部材は、前記中空の内壁に前記治療光を反射させる反射膜を有する構成とした、請求項６に記載の光治療装置。
【請求項９】
前記導光部材は、略シート形状であって、
前記導光部材の裏面が前記第一の面に保持される面となり、前記導光部材の表面が患部を配置する面となり、
前記治療部位を当接させる前記表面の一部に、前記第一の面に対して隆起した凸状部を有する構成とした、請求項１に記載の光治療装置。
【請求項１０】
前記導光部材の前記表面の前記凸状部を除く部分には、前記表面から前記裏面の方向に向けて光を反射する反射膜を有する、請求項９に記載の光治療装置。
【請求項１１】
前記凸状部は、一方向と、その一方向に直行する他方向にそれぞれ幅をもった形状を有し、
前記一方向の幅は、前記他の方向の幅よりも広い、請求項９に記載の光治療装置。
【請求項１２】
前記導光体は、前記光源からの治療光を入射させるための入射口を設けた導光路端面を有し、
前記光源は前記入射口に配置された、請求項１に記載の光治療装置。
【請求項１３】
前記導光体は中空半球体の形状を有し、前記第一の面は前記中空半球体の外表面である、請求項１に記載の光治療装置。
【請求項１４】
前記導光体は基板上に配設され、
前記基板表面上には、前記第一の面の所望の位置に前記導光部材を配置することが可能な位置決め表示を有する構成とした、請求項１に記載の光治療装置。
【発明の詳細な説明】
【技術分野】
【０００１】
本発明は、光治療装置に関する。
【背景技術】
【０００２】
光治療装置は、例えば、赤外光（おおよそ７００〜２５００ｎｍ）を治療光として、筋肉・関節の慢性非感染性炎症による疼痛の緩解やリウマチを発症した関節の治療に用いられる。従来の光治療装置は、光源からの治療光を直接もしくは導光路を介して治療部位に向けて非接触状態で照射する構成となっていた（例えば、特許文献１参照）。しかしながら、このような治療に用いられる光は、その出力が大きいことから患者の眼に照射されることは好ましくない。【０００３】
そのため、光源からの治療光を、例えば、アクリル、ガラスといった導光性を有する導光体内部に入射させた状態で、導光体表面に治療部位を接触させる構成が提案されている（例えば、特許文献２参照）。その接触した治療部位に、導光体内部に存する治療光が照射される。すなわち、特許文献２の光治療装置では、導光体表面に治療部位が接触していない状態では、導光体内部に入射した光源の治療光は、導光体外部へ出射することを抑制されるが；一方、導光体表面に治療部位が接触している状態では、導光体内部の治療光は、導光体表面に接触した治療部位に出射する。【０００４】
これにより、導光体からの治療光の不要な出射を抑制し、患者の眼に治療光が照射されることを抑えている。
【先行技術文献】
【特許文献】
【０００５】
【特許文献１】特開昭６３−２１０６９号公報
【特許文献２】特開２００９−９５５４９号公報
【発明の概要】
【発明が解決しようとする課題】
【０００６】
上記特許文献２の光治療装置を用いて光治療を行う場合、治療部位が関節などの屈曲部分であると、屈曲部分を導光体表面に接触させなければ、治療部位に治療光を供給できない。しかしながら、このような屈曲部分は導光体表面に接触させ難いことから、治療部位に適切に治療光を供給させることが困難であり、適切な治療が行えないという課題を有していた。【０００７】
関節リウマチを発症した患者を例に挙げると、重度の関節リウマチ患者は、関節の腫れが長く続くことにより、関節包や関節周辺の組織がゆがむ。そして、さらに症状が進行すると、いわゆる関節変形を発症する。関節変形は、滑膜炎による関節軟骨や関節下骨の破壊が進み、関節面がずれて、関節のまわりの筋肉にひっぱられることにより関節が曲がる症状である。このような関節変形の症状が顕著に現れる部位は指関節である。【０００８】
したがって、関節リウマチ患者は、治療部位である指関節を導光体表面に接触させて治療を行う必要がある。例えば、導光体表面に手のひらを配置して手指の治療を行う場合、導光体表面に指関節を接触させるために、関節リウマチ患者に無理な動作を要求しなければならない。特に、関節変形を発症した重度のリウマチ患者にとって、この無理な動作は痛みを伴う。また、症状によっては導光体への指関節を導光体表面に接触させることが困難な状態にまで変形している場合もある。このような患者の指関節を導光体表面に接触させることは難しく、その結果、十分な光を患部に供給できず、適切な治療を行うことが困難となる。【０００９】
一方、導光体の形状を関節リウマチ患者の患部形状にあわせることで、指関節のような屈曲部分に導光体を密着させて、患部に十分な治療光を供給することも考えられる。しかしながら、関節変形を発症した指関節の変形具合は患者毎に異なる。そのため、導光体を患部形状毎にあわせて用意することは現実的でない。その結果、適切な治療が困難となる。【００１０】
そこで本発明は、例えば、治療部位が重度の関節リウマチ患者の指関節のような屈曲部分であっても、簡便に十分な治療光を供給することができ、その結果、適切な治療が実現できる光治療装置を提供することを目的とする。
【課題を解決するための手段】
【００１１】
この目的を達成するために本発明の光治療装置は、患部を配置させる第一の面と、前記第一の面に背向する第二の面とを有する導光体と；治療光を出力し、前記導光体内部に前記治療光を入射させる光源と；柔軟性および表面タック性を有し、前記第一の面の一部に配置された導光部材と；を備えた構成とした。これにより所期の目的を達成することを特徴としたものである。
【発明の効果】
【００１２】
本発明の光治療装置によれば、導光体の表面に配置した導光部材に治療部位を当接するように配置するだけで、導光部材が、その柔軟性によって、治療部位の形状に応じて変形する。そのため、患者に無理な動作を要求させることなく、指関節のような屈曲部分を導光部材に当接させることができる。そして、導光体内部に入射した光源の光を、導光部材を介して、治療部位に供給することが可能となる。その結果、指関節のような屈曲部分にも十分な治療光を供給することができ、適切な治療を行うことが可能となる。【００１３】
また、従来の光治療装置では、導光体に手を配置して、リウマチ治療の治療部位である指関節に光を供給しようとしたときに、手の指関節以外の部分にも導光体が接触し、光が供給される。これに対して、本発明の光治療装置は、導光体の表面に配置された導光部材を有するので、光を治療部位に集中して供給することができる。その結果、光治療装置のエネルギー効率の向上にもつながる。また、指関節部分を特に集中して治療する必要がある場合でも、指関節部分に高効率の治療光を供給することができるため、治療効果の向上も期待できる。【００１４】
さらに、本発明の光治療装置における導光部材の材質をシリコーン樹脂などの安価で汎用な材質とすれば使い捨て用とすることができ、本発明の光治療装置により衛生面を考慮した治療を行うことができる。
【図面の簡単な説明】
【００１５】
【図１】本発明の実施の形態１における光治療装置の斜視図
【図２】本発明の実施の形態１における光治療装置の使用状態を示す斜視図
【図３】本発明の実施の形態１における光治療装置の正面側斜視図
【図４】本発明の実施の形態１における光治療装置の側面側斜視図
【図５】本発明の実施の形態１における光治療装置の導光体の断面図
【図６】本発明の実施の形態１における光治療装置の導光体の下面図
【図７】本発明の実施の形態１における光治療装置の補助導光体の斜視図
【図８】本発明の実施の形態１における光治療装置の補助導光体の上面図
【図９】本発明の実施の形態１における光治療装置の補助導光体が配置された導光体の側面図
【図１０】本発明の実施の形態１における光治療装置を用いた光治療の一例を示す斜視図
【図１１】本発明の実施の形態１における光治療装置を用いた光治療の一例を示す下面図
【図１２】従来の光治療装置により患部へ治療光を照射した状態を示す図
【図１３】本発明の実施の形態１における光治療装置により患部へ治療光を照射した状態を示す図
【図１４】本発明の実施の形態３における光治療装置の正面側斜視図
【図１５】本発明の実施の形態３における光治療装置の側面側斜視図
【図１６】本発明の実施の形態３における光治療装置の補助導光体の斜視図
【図１７】本発明の実施の形態３における光治療装置の補助導光体の断面図
【図１８】本発明の実施の形態３における光治療装置の導光体表面に補助導光体を配置した状態を示す斜視図
【図１９】本発明の実施の形態３における光治療装置の導光体表面に補助導光体を配置した状態を示す側断面図
【図２０】本発明の実施の形態３における光治療装置を用いた手の光治療を示す図
【図２１】本発明の実施の形態３における補助導光体に治療部位を配置した際の凸状部の形状の変化を示す図
【図２２】本発明の実施の形態３における手を補助導光体に配置した状態を示す下面図
【図２３】本発明の実施の形態３における光治療用装置を用いた患部への光の供給を示す図
【図２４】本発明の実施の形態４における光治療装置の基板に配置された導光体の上面図
【図２５】本発明の実施の形態４における光治療装置の導光体に補助導光体を配置した上面図
【図２６】本発明の実施の形態４における補助導光体の上面図
【発明を実施するための形態】
【００１６】
本発明の光治療装置の実施の形態を、図面とともに詳細に説明する。なお、以下の実施の形態１〜４に示す光治療装置は、一例として、関節リウマチ患者の指関節の治療を想定した構成を示している。もちろん、本発明の光治療装置はこれらに限定されない。
【００１７】
（実施の形態１）
図１は、本発明の実施の形態１における光治療装置の斜視図である。光治療装置１は、机２の上に載置されている。図２に示すように、患者３は椅子４に座り、光治療装置１を用いた光治療を自宅または病院などで行うことができる。
【００１８】
光治療装置１は、図３および図４に示すように、円盤状の基板５と、蓋体６とを有する。蓋体６は、下面が開口した有天円筒状をしている。蓋体６は、ヒンジ７によって基板５に連結されており、基板５の表面を開閉自在に覆うことができる。蓋体６で、基板５の表面を覆うことで、光治療を行うための強い光が、患者３の目に直接照射されるのを抑制することができる。
【００１９】
蓋体６の外周面の前側、つまりヒンジ７とは対向する側に、左右２箇所の患部挿入口８が設けられている。また、蓋体６の外周面の前側であって、２箇所の患部挿入口８の間にフック１０が設けられている。フック１０が基板５の係合孔９に係合すると、蓋体６がロックされる。フック１０の上方には、ロックを解除するためのフックボタン１１が設けられている。
【００２０】
基板５の表面には、左右２個の導光体１２が所定間隔をおいて配置されている。導光体１２の外表面（配置面１４）の一部には、取り外し可能な補助導光体１３が１つまたは２つ以上配置されている。補助導光体１３の個数、大きさは、治療内容に応じて自由に定められるが、図３および図４では、１つの導光体１２に対して、１つの補助導光体１３が配置されている。
【００２１】
図５は導光体１２の断面図である。図６は導光体１２の下面図である。図５および図６から理解されるように、導光体１２は中空半球形状となっている。それゆえ、導光体１２の外表面および内表面は、いずれも略半球面状である。導光体１２の外表面が患部（例えば、手や指）を配置させる配置面１４であり、配置面１４に背向する内表面が背向面１５である。
【００２２】
導光体１２の配置面１４と背向面１５との間が導光路となる。そして、導光路の厚さ（配置面１４と背向面１５との距離）は、略均一である。導光体１２の配置面１４の大きさは、手や指を配置するための十分な大きさを有している。導光体１２の配置面１４は略半球面状であるが、図６から理解されるように、厳密な半球面である必要はない。図６に示される導光体１２は、一方（図６中の左右方向）の径が、それに直交する方向（図６中の上下方向）の径よりも若干長い。このように、導光体１２の配置面１４を略半球面として、挿入口８からの挿入方向に直行する方向の径を、挿入口８からの挿入方向の径よりも若干長くすることで、配置面１４に手を載せやすくする。
【００２３】
図５に示されるように、導光体１２の下方端面に入射口１６が設けられている。入射口１６に光源１７を配置している。また、図６に示されるように、導光体１２には複数の入射口１６とそれに対応する光源１７を設ける。光源１７からの光が、入射口１６を介して導光路に入射する構成となっている。光源１７から照射される光は、関節リウマチの治療光として好ましいとされる近赤外光（おおよそ７５０ｎｍ〜２μｍ）を主たる波長帯とする。
【００２４】
導光体１２は、光源１７からの治療光に対して導光性を有する材質であればよい。実施の形態１では、導光体１２を、生体の屈折率と比較して大きい屈折率を有する材質で構成した場合を説明する。生体の屈折率は、その部位や状態によって異なるが、概ね１．４〜１．５の範囲である。実施の形態１では、生体の屈折率を１．４と想定し、導光体１２の材質の屈折率を１．４より大きくしている。
【００２５】
このような導光体１２の材質の例には、透明アクリル樹脂（屈折率１．４９）、透明ポリエチレンテレフタレート（ＰＥＴ）樹脂（屈折率１．６６）、透明ガラス（１．５１）、１．４より大きい屈折率に調整された透明シリコーン樹脂などがある。
【００２６】
以上のように構成された光治療装置１は、光源１７から照射された光を導光体１２内部に入射させる。入射した光は、先ず、配置面１４の内面あるいは背向面１５の内面に到達する。配置面１４あるいは背向面１５の内面に到達した光は、内面に対する入射角に応じて、外部へ向けて出射するか、内面にて反射する。つまり、内面に対する入射角が、導光体１２の材質と内面側に光が到達した部分の外部環境（今回は空気と想定）とにより導き出される臨界角よりも小さい場合は、導光体１２から外部へ向けて出射する。一方、内面に対する入射角が、前記臨界角よりも大きい場合は、この内面にて反射する。
【００２７】
内面にて反射した光は、導光路の厚さが略均一であるので、内面に対する入射角をほぼ同一に保存しながら、反射を繰り返しながら導光路を進行する。反射を繰り返して進行した光は、導光体１２に何も接触していない場合（いわゆる空気と接触している場合）には、原則的に導光体１２内部に保存される。
【００２８】
一方、配置面１４に、空気の屈折率（１．０）より高い物質（例えば、手などの生体）が接触している場合には、空気と接触している場合には外部へ出射しなかった光が、出射するようになる。つまり、配置面１４に、空気の屈折率（１．０）より高い物質が接触することで、その接触部分での界面における臨界角が増大する。臨界角の増大分に相当する光が、その接触部分から導光体１２外部へ出射する。
【００２９】
次に、補助導光体１３について、図７および図８を用いて説明する。図７は補助導光体１３の斜視図である。図８は補助導光体１３の上面図である。補助導光体１３は、中空を有する保持部材１９と導光部材１８とで構成される。保持部材１９の中空内部に導光部材１８が挿入されて保持された構成となっている。
【００３０】
補助導光体１３は、図９に示すように、導光体１２の配置面１４の一部に、導光部材１８を接触して配置される。導光部材１８は、導光体１２の配置面１４の任意の場所に配置でき、また、取り外し可能な構成となっている。
【００３１】
図１０に示すように、手や指といった患部を、配置面１４に配置し；かつ指関節などの治療部位を、補助導光体１３の導光部材１８に接触させて配置して、治療を行う。すなわち、補助導光体１３は、治療部位と導光体１２との間に挿入された状態で使用される。
【００３２】
実施の形態１では、リウマチ患者の手指の光治療を例に説明している。リウマチ患者の手指で最も重い症状が現れる患部は、中手指節関節２１や近位指節間関節２２である。導光体１２と治療部位である中手指節関節２１および近位指節間関節２２との間に挿入された補助導光体１３は、図１１に示すように配置される。導光体１２には、主に補助導光体１３の導光部材１８が接触する。
【００３３】
次に、補助導光体１３の導光部材１８を説明する。導光部材１８は、以下の３つの特徴を併せ持つ材質で構成される。
【００３４】
第１の特徴は、導光性を有する材質であることである。後述するように、本発明の光治療装置は、導光体１２内部の治療光を、導光部材１８を介して、治療部位に照射させるからである。導光部材１８は、導光性を有する材質であれば特に限定されないが、実施の形態１では、一例として、数１で示される屈折率の関係を有する材質を用いることとする。
［数１］
空気の屈折率＜生体の屈折率＜導光体の屈折率＜導光部材の屈折率
【００３５】
第２の特徴は、可撓性や弾性など、少なくとも柔軟性を有する材質であることである。補助導光体１３は、上述の通り、患部と配置面１４との間に挿入された状態で使用される。導光部材１８が柔軟性を有さないと、指関節のような屈曲部分である治療部位に導光部材１８が密着しにくい。導光部材１８と治療部位とが密着していないと、治療部位に十分な光を照射することができない。導光部材１８が、治療部位の屈曲部分に合わせてその形状が変化するような柔軟性を有することで、導光部材１８と患部とを密着させることが可能となる。また、導光部材１８が柔軟性を有すると、様々な形状の導光体１２の配置面１４（実施の形態１における配置面１４は略半球面である）に、導光部材１８を密着して配置することが可能となる。
【００３６】
第３の特徴は、表面タック性（粘着性）を有する材質であることである。すなわち、導光部材１８を、導光体１２の配置面１４に配置し、導光部材１８に軽い押圧を加えるなどして配置面１４に密着させる。それにより、導光部材１８と配置面１４との間に実質的な間隙を有さない状態にすることが可能とする。そのため、導光部材１８の材質は、導光体１２を構成する材質（例えば、透明アクリル樹脂、透明ポリエチレンテレフタレート（ＰＥＴ）樹脂、透明ガラス、１．４より大きい屈折率に調整された透明シリコーン樹脂など）と密着性を有することが好ましい。
【００３７】
導光部材１８の表面タック性によって、導光体１２の配置面１４に補助導光体１３を配置するだけで、あるいは、配置した後に軽い押圧を加えるだけで、その配置位置を固定することができる。そして、補助導光体１３をテープなどで固定する必要もなく、補助導光体１３の取り外しも簡便である。
【００３８】
このように、治療部位と配置面１４との間に補助導光体１３を挿入して、光治療（光照射）を行っても、補助導光体１３の表面タック性によって、配置面１４に当初配置した補助導光体１３の位置がずれ難くなる。
【００３９】
以上のような３つの特徴を併せ持ち、前記数１で示される屈折率の関係を有する材質として、導光性を有するエラストマーがある。具体的には、導光体１２の材質を、透明アクリル樹脂、透明ポリエチレンテレフタレート（ＰＥＴ）樹脂、透明ガラスとした場合には、３つの特徴を有するエラストマーの例には、導光体１２の材質よりも屈折率を大きく調整した透明シリコーン樹脂、イソプレンゴム（屈折率：１．５２）、エチレンプロピレンゴム（屈折率：１．４８）、クロロプレンゴム（屈折率：１．５５８）、ブチルゴム（屈折率：１．５０８）、ウレタンゴム（屈折率：１．５０〜１．５５）、エピクロロヒドリンゴム（屈折率：１．５１）、ブタジエンゴム（屈折率：１．５１６）、スチレンブタジエンゴム（屈折率：１．５３５）、ニトリルゴム（屈折率：１．５２）などが含まれる。
【００４０】
導光体１２と導光部材１８の材質をともに透明シリコーン樹脂とした場合、導光部材１８の透明シリコーン樹脂は、導光体１２の透明シリコーン樹脂の屈折率よりも高く調整されたものである必要がある。また、導光体１２の材質を透明シリコーン樹脂とし、導光部材１８をイソプロピレンゴムで構成した場合、透明シリコーン樹脂の屈折率は、イソプロピレンゴムの屈折率（１．５２）よりも小さくする必要がある。
【００４１】
前述の通り、保持部材１９は内部に中空を有する形状を有する。保持部材１９の中空内部に導光部材１８が挿入されて保持する構成とする。実施の形態１において、保持部材１９は円筒状である。
【００４２】
保持部材１９の材質は、光透過性を有さず、プラスチックのような硬性を有する材質で構成されることが好ましい。補助導光体１３は保持部材１９を有しなくてもよいが；補助導光体１３を介して治療部位に光を照射する際に、保持部材１９は、治療部位が接触していない部分からの光漏れを抑制する。
【００４３】
保持部材１９の中空内面に反射膜２０を設けてもよい。導光体１２から導光部材１８を介して患部に光を照射する際に、反射膜２０は、導光部材１８の患部が接触していない部分からの光の漏れを抑制しつつ、効率良く患部に光を照射することができる。
【００４４】
実施の形態１における補助導光体１３において、保持部材１９の中空内部で保持される導光部材１８は、図７に示すように、保持部材１９の中空内周縁よりも隆起した状態とされている。例えば、図７の補助導光体１３の上側を治療部位と当接させる治療部位当接面２３とする。導光部材１８の治療部位当接面２３部分を隆起させて保持していると、屈曲部分である指関節に、導光部材１８を密着させることができる。導光部材１８は、関節の屈曲部分に合わせてその形状を変化させることができるからである。一方、導光部材１８が、保持部材１９の中空内周縁よりも隆起しない状態（導光部材１８が保持部材１９の中空内周縁内に収まっている状態）で保持されていると、指関節と導光部材１８とが密着することは難しい。保持部材１９が硬性の材質であり、指節が屈曲する部分であるためである。
【００４５】
一方、図７の補助導光体１３の下側を、配置面１４と接触する保持面２４とする。保持面２４でも導光部材１８を隆起させることで、導光体１２と補助導光体１３との位置ズレが生じないように、ある程度位置固定することができる。それにより、補助導光体１３を用いて治療を行うために、患部を補助導光体１３に配置したときの補助導光体１３の位置ズレを抑制する。
【００４６】
保持面２４でも導光部材１８を隆起させることで、導光体１２から導光部材１８への光の入射を適切に行うこともできる。すなわち、導光体１２と導光部材１８との間に間隙があると、間隙部分と導光体１２との界面は実質的に導光体１２と空気との界面となるので、導光体１２からの光の出射が難しくなる。図７の補助導光体１３の保持面２４に導光部材１８の隆起を設けると、導光部材１８と配置面１４との密着性を高めた状態で、補助導光体１３を配置することが可能となる。
【００４７】
以上の構成からなる補助導光体１３を用いた光治療における光照射状態を、図１２および図１３を用いて説明する。図１２では、導光体１２の材質をアクリル樹脂（屈折率１．４９）として、導光部材１８を配置しない場合を説明する。図１３では、イソプレンゴム（屈折率１．５２）からなる導光部材１８を含む補助導光体を配置した場合を説明する。
【００４８】
図１２は、導光部材１８を配置しない場合の光照射状態を示す図である。すなわち、従来の光治療を行った場合を示している。図１２において、導光体１２に治療部位が接触していない場合、導光体１２の配置面１４は空気と接する。導光体１２の材質であるアクリル樹脂（屈折率：１．４９）から空気（屈折率：１．００）に出射する光の界面の臨界角は、４２．１５５度である。そのため、図１２に示すように、導光体１２内部において、４２．１５５度以上の入射角で導光体１２内部壁面に到達した光は、その内部壁面で全反射する。反射した光は、導光体１２の内部壁面で反射を繰り返す。一方、導光体１２内部において、４２．１５５度より小さい入射角で導光体１２の内部壁面に到達した光は、導光体１２から外部に出射する。
【００４９】
すなわち、図１２においては、４０．３度の角度（入射角ａ：２５）で配置面１４の内面側に到達した光は、入射角が臨界角（４２・１５５度）よりも小さいので、配置面１４から外部に出射する。一方で、６２．１度の角度（入射角ｂ：２６）で配置面１４の内部壁面に到達した光は、入射角が臨界角（４２・１５５度）よりも大きいので、全反射する。
【００５０】
均一な厚みを有する導光体１２から外部に光が出射する部位は、実質的に光源１７の入射口１６近傍のみである。配置面１４に入射角の大きな光が到達するのは、光源１７の入射口１６近傍のみだからである。以上の結果として、導光体１２の配置面１４に空気が接している状態では、配置面１４から出射する光の量は極めて少ない。
【００５１】
導光体１２の配置面１４に手指が配置された場合には、配置面１４の一部と手指である生体とが密着する。導光体１２の材質であるアクリル樹脂（屈折率：１．４９）から生体（屈折率１．４０）に出射する光の界面の臨界角は、６９・９８４度である。そのため、この６９・９８４度よりも小さな角度で配置面１４の内面に到達した光は、配置面１４から出射する。
【００５２】
関節リウマチ患者の手指のうち最も治療を要すべき患部は、指関節２７である。しかしながら、指関節２７は屈曲部分であるがゆえに、屈曲部分と導光体１２の配置面１４との間に間隙２８が生じやすい。健常人や軽度リウマチ患者は、導光体１２の形状に合わせて屈曲部分を密着させることで、間隙２８が生じないようにすることが可能である。しかしながら、関節変形を伴う重度リウマチ患者にとって、間隙２８が生じないように導光体１２に屈曲部分を密着させることは困難である。その結果、最も治療を要すべき指関節２７に十分な光が照射されない。
【００５３】
一方、図１３は、導光体１２に補助導光体１３を配置した場合の光照射状態を示す図である。すなわち、本発明の光治療装置を用いて光治療を行った場合を示している。図１３に示すように、導光体１２の配置面１４に補助導光体１３を配置すると、導光部材１８が配置面１４に密着する。導光部材１８が密着性および軟性を有し、かつ保持部材１９の中空内周縁よりも導光部材１８が隆起して保持されているためである。すなわち、導光体１２と導光部材１８との間に実質的に間隙が生じていない。従って、導光体１２の配置面１４と、導光部材１８であるイソプレンゴムとが密接する。
【００５４】
アクリル樹脂の屈折率（１．４９）よりもイソプレンゴムの屈折率（１．５２）の屈折率が大きいため、図１３に示すように、導光体１２の配置面１４に到達したすべての光は、導光体１２から導光部材１８に入射する。つまり、図１３から理解されるように、６２・１度の角度（入射角ｃ：２９）の光までもが配置面１４から出射する。図１２との比較から明らかなように、指関節２７近傍の導光体１２の配置面１４から出射する光の量が多くなる。
【００５５】
導光部材１８に入射した光は、指関節２７へ向かう。導光部材１８に入射した際に、指関節２７への方向とは異なる方向への光は、保持部材１９の内面に設けられた反射膜２０で反射されて、指関節２７方向へ導光される。
【００５６】
導光部材１８が、導光性、柔軟性および表面タック性を有し；かつ導光部材１８が、保持部材１９の中空内周縁よりも隆起して保持されたことから、導光部材１８が指関節２７に、間隙なく密接する。すなわち、導光部材１８と指関節２７との間に実質的に間隙がない状態となる。導光部材１８の材質であるイソプレンゴムの屈折率（１．５２）は、生体の屈折率（１．４０）よりも大きい。導光部材１８と指関節２７の界面での臨界角は６７．０８度であり、界面に６７．０８度以上の角度で入射した光は全反射し、一部の光は保持部材１９の内壁の反射膜２０などにより反射を繰り返すことで、生体に入射する。
【００５７】
以上の構成から、関節変形を伴う重度のリウマチ患者の治療においても、患者に無理な動作を要求することなく、かつ痛みと苦痛を与えることなく、十分な治療光を患部の深部組織まで供給することができる。その結果、適切な治療を行うことが可能となる。
【００５８】
また、補助導光体１３を導光体１２の配置面１４の一部に配置することで、患部へより強い光を照射することも可能となる。具体的には、補助導光体１３を導光体１２の配置面１４に配置せず、患部である手や指を導光体１２の配置面に直接配置すると、導光体１２の配置面１４に手指全体が接触する。従って、配置面１４と手指との接触面積が大きくなる。したがって、光照射が不要な部分にまで光が照射される。しかしながら、光源１７からの治療光の量には制限があるため、配置面１４と手指との接触面積が大きすぎると、治療部位に供給される治療光の照射量が相対的に低くなり、十分な治療光を照射することができない。
【００５９】
本発明では、補助導光体１３を用いることで、配置面１４に接触する主要部分を導光部材１８とすることができるため、導光体１２からの治療光を、配置面１４に配置した補助導光体１３に集めることができる。その結果、治療部位に照射される治療光を増大させることができる。
【００６０】
（実施の形態２）
実施の形態２は、実施の形態１の変形例として、導光体１２と補助導光体１３の導光部材１８の屈折率との関係を、数２で示される関係とした構成について説明する。その他の点は実施の形態１と同様であるため、説明を省略する。
［数２］
空気の屈折率＜導光体の屈折率＜導光部材の屈折率≦生体の屈折率
【００６１】
導光体１２の材質は、光源１７からの光に対して透過性を有する物質であり、空気の屈折率（１．０）より大きく、かつ、生体の屈折率よりも小さい屈折率を有する材質である。このような材質の例には、パーフルオロ樹脂、屈折率を１．４以下に調整したシリコーン樹脂、ＦＥＰ（テトラフルオロエチレン・ヘキサフルオロプロピレン共重合体）樹脂、ポリテトラフルオロエチレンなどがある。
【００６２】
数２の関係を満たす導光部材１８の材質には、導光性を有するエラストマーがある。このようなエラストマーの例には、フッ素ゴム（屈折率１．３８）、屈折率を１．４以下に調整したシリコーン樹脂が含まれる。生体の屈折率を１．５とした場合には、エラストマーは、エチレンプロピレンゴム（屈折率１．４８）、アクリルゴム（屈折率１．４６５）などであってもよい。
【００６３】
導光体１２の材質を屈折率１．４以下に調整したシリコーン樹脂とする場合、その屈折率は、導光部材１８の屈折率以下に調整しなければならない。また、導光体１２および導光部材１８の材質を、屈折率１．４以下に調整したシリコーン樹脂とする場合、数２の関係を満たすように、それぞれの屈折率を調整する必要がある。
【００６４】
以上の構成からなる補助導光体１３を用いた光治療における光照射状態を、導光体１２の材質をパーフルオロ樹脂（屈折率１．３４）とし、導光部材１８の材質を屈折率１．４に調整したシリコーン樹脂とした例を、図１３を用いて説明する。図１３に示すように、補助導光体１３を使用した場合、導光部材１８と配置面１４との界面はパーフルオロ樹脂とシリコーン樹脂とで構成される。
【００６５】
光源１７から導光体１２の導光路に入射した光は、先ず配置面１４の内面あるいは背向面１５の内面に到達する。配置面１４あるいは背向面１５の内面に到達した光は、その内面に対する入射角が、導光体１２の材質と空気（屈折率１．０）とから導き出される臨界角よりも小さい場合は、導光体１２から外部に出射する。
【００６６】
一方で、前記内面に到達した光の入射角が臨界角よりも大きい場合は、前記光は内面で反射する。そして、反射した光は、反射を繰り返しながら進行する。このとき、導光路の厚さが略均一であることから、内面に対する光の入射角はほぼ一定となる。
【００６７】
反射を繰り返しながら進行した光が、導光体１２の配置面１４のうち、導光部材１８を配置した部分面に到達すると、その光は全反射を起こさず、原則全ての光が導光部材１８へ入射する。導光部材１８の材質であるシリコーン樹脂の屈折率（１．４）は、パーフルオロ樹脂の屈折率（１．３４）よりも大きいからである。
【００６８】
導光部材１８に入射した光は、反射膜２０にて反射するなどして、導光部材１８と指関節２７との界面に到達する。導光部材１８の屈折率は、生体の屈折率以下であるので、この界面でも全反射することなく、原則全ての光が指関節２７に光を入射する。
【００６９】
以上の構成から、導光体１２から導光部材１８を経て患部との界面に到達した全ての光は、原則、導光部材１８から患部に出射することができる。そのため、関節リウマチ患者に無理な動作を要求させることなく、痛みと苦痛を与えることなく、指関節２７のような屈曲部分に光を供給することができる。また、指関節２７部分を特に集中して治療する必要がある場合でも、指関節部分に高効率に光を供給することができるため、治療効果の向上が期待できる。
【００７０】
（実施の形態３）
実施の形態３は、図１４および図１５に示すように、実施の形態１および実施の形態２と補助導光体１３の構成が異なる。その他の点は、実施の形態１および２と同様であるため、説明を省略する。また、導光体１２および導光部材１８は、導光性を有する材質であれば特に限定されないが、実施の形態３においては、実施の形態２と同様の屈折率の関係（数２参照）を有する材質で説明する。
【００７１】
実施の形態３における補助導光体１３を、図１６および図１７に示す。図１６は、補助導光体１３の斜視図である。図１７は補助導光体１３の縦方向における断面図である。
【００７２】
補助導光体１３は、導光部材１８と反射膜２０とで構成される。導光部材１８は、略シート形状を有する。導光部材１８の表面が、患部を配置する面となる。導光部材１８の裏面が、導光体１２の配置面１４に配置する保持面２４となる。
【００７３】
導光部材１８の表面の一部は、治療部位を当接させる治療部位当接面２３となる。治療部位当接面２３では、導光体１２の厚みが他の部分と比べて大きくなっている。すなわち、治療部位当接面２３は、隆起した凸状部３０となる。図１６に示すように、凸状部３０の横方向の幅は、縦方向の幅よりも広い。治療部位当接面２３の大きさは、患部を配置するのに十分な大きさであればよい。また、後述の通り、補助導光体１３は、導光体１２の配置面１４に配置して用いられるため、配置面１４に収まる大きさである。
【００７４】
導光部材１８の表面には、凸状部３０を除いて、反射膜２０が設けられている。反射膜２０は、導光部材１８中の光を表面側から保持面２４方向に反射させる構成であればよい。例えば導光部材１８の表面は、凸状部３０を除いて、銀色や金色等の塗装を施されている。
【００７５】
導光部材１８は、実施の形態１および２と同様、表面タック性、柔軟性、導光性を有する材質であり、エラストマーなどでありうる。
【００７６】
以下、光源１７から導光体１２と導光部材１８とを介して、治療部位に光が供給される光の伝搬状態を説明する。各部の屈折率は特に限定されず、光源１７からの光が、導光体１２と導光部材１８を介して治療部位に供給される構成であればよいが；実施の形態３においては、導光体１２と導光部材１８との屈折率の関係を、数３に示すようにした。
［数３］
空気の屈折率＜導光体の屈折率＜導光部材の屈折率≦生体の屈折率
【００７７】
生体の屈折率は、その部位や状態によって異なるが、概ね１．４〜１．５の範囲であり、実施の形態３においては、生体の屈折率を１．４とする。数３を満たす導光体１２の材質の具体例として、パーフルオロ樹脂（屈折率１．３４）、ＦＥＰ樹脂（屈折率１．３４）、ポリテトラフルオロエチレン（屈折率１．３５）、数３の範囲の屈折率に調整されたシリコーン樹脂が挙げられる。また、導光部材１８の具体例として、フッ素ゴム（屈折率１．３８）、数３の範囲の屈折率に調整されたシリコーン樹脂が挙げられる。導光体１２や導光部材１８は、これらに限定されない。
【００７８】
以上のように構成された補助導光体１３は、図１８および図１９に示すように、導光体１２の配置面１４に配置される。そして、図２０に示すように、治療部位が凸状部３０に当接するように、患部を配置して光治療が行われる。実施の形態３は、関節リウマチ患者の手の指関節を治療する例を示している。関節リウマチ患者の手において、最も顕著に症状が現れる部位は、中手指節関節２１や近位指節間関節２２である。したがって、実施の形態３における治療部位は、主に中手指節関節２１や近位指節間関節２２をいう。
【００７９】
補助導光体１３の導光部材１８が柔軟性を有するので、補助導光体１３の保持面２４を導光体１２の配置面１４の略半球状の形状に合わせて、補助導光体１３を導光体１２の配置面１４に配置することができる。そして、治療部位である中手指節関節２１や近位指節間関節２２などの屈曲部を凸状部３０に配置しても、導光部材１８の柔軟性によって、凸状部３０の形状が変化する。そのため、屈曲部に、凸状部３０が密着することが可能となる。
【００８０】
導光部材１８の柔軟性の程度は使用に応じて適宜設定され；導光部材１８の凸状部３０に治療部位を配置したときに、凸状部３０の形状が治療部位の形状に応じてその形状が変化して密着することができる程度の柔軟性であればよい。つまり、導光部材１８の患部配置面に手を配置したとき、手の重みや、軽い押圧程度の圧力によって、凸状部３０の形状が変化する程度の柔軟性を、導光部材１８が有していればよい。例えば、ゴム硬度でいうと約３°〜３０°である。なお、実施の形態１および２で用いられる導光部材１８の硬度も同様であることが好ましい。
【００８１】
導光部材１８は表面タック性（粘着性）を有するので、導光体１２の配置面１４に補助導光体１３を配置するだけで、あるいは配置後に軽い押圧を加えるだけで、その配置位置を固定することができる。テープ等で導光部材１８を固定する必要もないので、補助導光体１３をめくるだけで補助導光体１３を取り外すことができる。このように、簡単に補助導光体１３を、取り付けおよび取り外しすることができる。また、光治療を行うために、導光部材１８の表面に患部を配置したとしても、導光体１２の配置面１４における補助導光体１３の配置位置がずれることもない。
【００８２】
補助導光体１３の保持面２４は、導光体１２の配置面１４に補助導光体１３を保持する。補助導光体１３の凸状部３０を除く表面には、患部を配置する。そのため、補助導光体１３の導光部材１８の厚みｄ１（保持面２４から表面との距離（図１７参照））は、数ｍｍ程度あれば十分であり、それ以上に大きくする必要はない。
【００８３】
また、凸状部３０の形状および厚み（表面から凸状部３０の頂部の高さ）は、治療する患部に応じて適宜設定することができる。例えば、指関節を治療対象とする場合、指関節に凸状部３０が密着して当接させるために、少なくとも１ｃｍ程度の厚みが必要となる。
【００８４】
次に、指関節のような屈曲部分である治療部位が、凸状部３０に配置されたときに、凸状部３０が治療部位に密着する理由を、図２１を用いて説明する。図２１（ａ）は、凸状部３０に指関節２７を配置していない状態を示す図である。図２１（ｂ）は、凸状部３０に指関節２７を配置した状態を示す図である。図２１（ａ）および（ｂ）には、説明を容易にするため、反射膜２０の構成が省略されている。
【００８５】
図２１（ａ）に示すように、凸状部３０に指関節２７が配置されていない場合、略半球状の凸状部３０は、距離ｄ３にその形状が収まっている。距離ｄ３とは、導光部材１８からの凸状部３０の盛り上がり部の幅であり、境界３１から境界３２までの距離である。
【００８６】
導光部材１８は柔軟性を有するため、凸状部３０に指関節２７が配置されると、図２１（ｂ）に示すように、手の配置圧力によって、凸状部３０が縦および横方向に変形する。具体的には、変形量が最大の部分は、距離ｄ３よりも大きくなる。変形した凸状部３０に、指関節２７およびその近傍が当接する。
【００８７】
したがって、凸状部３０の頂部の配置位置が、指関節２７の位置から多少ずれたとしても、凸状部３０の形状変化によって、指関節２７とその近傍が凸状部３０に当接することができる。そのため、導光部材１８の表面に手を配置するときに、手の指関節２７と導光部材１８の凸状部３０とを厳密に位置合わせする必要がない。つまり、導光部材１８の表面に手を簡便に配置するだけで、効率的な光治療を実施することができる。
【００８８】
図２１（ａ）および（ｂ）には、一つの指関節に対して一つの凸状部３０の配置する構成を示しているが、これに限定されない。図２２に示すように、中手指節関節２１および近位指節間関節２２（図２０参照）の両方に凸状部３０が密着できるように構成された、一体化された凸状部３０を用いてもよい。図２２における凸状部３０の破線は、患部を配置する前の凸状部３０の位置を示している。図２２における凸状部３０の実線は、患部を配置することによって形状が変化した凸状部３０の位置を示している。変化した凸状部３０が、中手指節関節２１および近位指節間関節２２の全体に当接している。
【００８９】
図２３は、実施の形態３の光治療装置１を用いて、患部へ光を照射した状態の一例を示している。厚みが略均一である導光体１２の内部に入射した光源からの光は、導光体１２の配置面１４の内面と背向面１５の内面とをほぼ一定の反射角を保って反射を繰り返して進行する。そして、導光体１２を進行する光が、補助導光体１３を配置した配置面１４の内部面に到達すると（図２３のａ）、全反射することなく原則全ての光が導光部材１８に入射する。前記到達部分（図２３のａ）の界面は、導光体１２と導光部材１８とで形成されており、導光部材１８の屈折率は導光体１２の屈折率よりも大きいからである。
【００９０】
導光部材１８に入射した光は、導光部材１８の表面に到達し（図２３のｂ）、反射膜２０で反射する。反射された光は再度導光体１２に入射する（図２３のｃ）。そして再度、導光体１２に入射した光は、導光体１２の背向面１５で反射して（図２３のｄ）、そして再度、導光部材１８に入射する（図２３のｅ）。
【００９１】
そして再度、導光部材１８に入射した光は、凸状部３０に配置した指関節２７との界面に到達し（図２３のｆ）、全反射することなく原則全て指関節２７に照射される。生体の屈折率は、導光部材１８の屈折率以上であるからである。
【００９２】
以上の構成より、関節変形を伴うリウマチ患者であっても、患者に無理な動作を要求することなく、かつ痛みと苦痛を与えることなく、指関節の屈曲部分を導光部材１８に当接させて、光治療を行うことができる。そして、導光体１２に入射した光の多くは、凸状部３０から出射する構成となっている。そのため、凸状部３０に配置した治療すべき患部に効率的に光を供給し、導光体１２から外部への不要な光の出射を抑えることができる。そのため、効率の良い治療を実現できる。
【００９３】
（実施の形態４）
実施の形態４では、実施の形態３の光治療装置１と基本的な構成は同じであるが、より使用者にとって使いやすい光治療装置の構成を示している。
【００９４】
本発明の光治療装置１を用いて光治療を行う場合、患者は、定期的に一定時間、導光体１２および補助導光体１３に患部を配置しなければならない。したがって、関節リウマチ患者にとって楽な状態で、光治療を実施できることが好ましい。
【００９５】
図２４は、基板５に配置された導光体１２の上面図を示している。図２４に示すように、実施の形態４における光治療装置１の導光体１２周辺の基板５に、補助導光体１３を配置するための位置決め表示３３と位置決め補助線３３’とが表示されている。導光体１２は透明であるので、導光体１２上面から位置決め補助線３３’を目視することができる。
【００９６】
図２５に示すように、この位置決め表示３３および位置決め補助線３３’を、補助導光体１３の角部分にあわせて、補助導光体１３を導光体１２の配置面１４に配置する。例えば、ある患者にとって、Ａ１、Ａ３、Ａ７、Ａ９の位置で補助導光体１３を配置した場合が、最も楽な状態で治療できる場合には、その患者は、位置決め表示３３’を把握しておけばよい。そして治療の都度、図２５に示すように、Ａ１、Ａ３、Ａ７、Ａ９の位置に補助導光体１３の角部分をあわせて配置して、治療を行えばよい。
【００９７】
このように、導光体１２に、補助導光体１３を配置するための位置決め表示３３および位置決め補助線３３’を設けて、補助導光体１３の配置位置の目印とすることで、患者自身が楽な状態で治療を行うことができる。患者は、補助導光体１３の配置を、治療の度に微調整する必要もなく、簡便に治療を実施することができる。
【００９８】
なお、例えば、図２６に示すように、補助導光体１３の反射膜２０に、導光体１２への配置する方法や、装置の使用方法や、注意事項等の文字や図を印刷することで（印刷部３４）、補助導光体１３を、さらに使用者にとって使いやすい構成にすることができる。
【産業上の利用可能性】
【００９９】
本発明の光治療装置によれば、導光体表面に配置した導光部材に治療部位を当接するように患部を配置するだけで、導光部材に治療部位を当接することが可能となる。導光部材を構成する導光部材が柔軟性を有するので、治療部位の形状に応じて変形するからである。また、患部が指関節のような屈曲部分であっても、患者に無理な動作を要求することなく、治療を行うことができる。【０１００】
そして、導光体内部に入射した光源からの光を、導光部材の導光部材を介して、治療部位に供給することが可能となる。その結果、指関節のような屈曲部分にも十分な治療光を供給することができ、適切な治療を行うことが可能となる。【０１０１】
また、本発明の導光部材を用いることで、治療部位に集中して光を供給することができる。例えば、リウマチの治療対象を手とした場合、治療部位は指関節となるが、導光部材を用いることで、指関節以外の部分に光が供給されてしまうことを抑制する。その結果、光治療装置のエネルギー効率の向上にもつながる。また、指関節部分を特に集中して治療する必要がある場合でも、指関節部分に高効率の治療光を供給することができるため、治療効果の向上も期待できる。【０１０２】
さらに、本発明の光治療装置は、導光部材としてシリコーン樹脂などの、安価で汎用な材料を用いることができるので、使い捨て用として適しており、衛生面を考慮した治療を行うことができる。【０１０３】
このため、例えば、関節リウマチを発症した手指関節の治療などの光治療装置として広く活用が期待される。
【符号の説明】
【０１０４】
１  光治療装置
２  机
３  患者
４  椅子
５  基板
６  蓋体
７  ヒンジ
８  挿入口
９  係合孔
１０  フック
１１  フックボタン
１２  導光体
１３  補助導光体
１４  配置面
１５  背向面
１６  入射口
１７  光源
１８  導光部材
１９  保持部材
２０  反射膜
２１  中手指節関節
２２  近位指節間関節
２３  治療部位当接面
２４  保持面
２５  入射角ａ
２６  入射角ｂ
２７  指関節
２８  間隙
２９  入射角ｃ
３０  凸状部
３１、３２  境界
３３  位置決め表示
３３’  位置決め補助線
３４  印刷部 
【図１】
2012137475.tif 000003
【図２】
2012137475.tif 000004
【図３】
2012137475.tif 000005
【図４】
2012137475.tif 000006
【図５】
2012137475.tif 000007
【図６】
2012137475.tif 000008
【図７】
2012137475.tif 000009
【図８】
2012137475.tif 000010
【図９】
2012137475.tif 000011
【図１０】
2012137475.tif 000012
【図１１】
2012137475.tif 000013
【図１２】
2012137475.tif 000014
【図１３】
2012137475.tif 000015
【図１４】
2012137475.tif 000016
【図１５】
2012137475.tif 000017
【図１６】
2012137475.tif 000018
【図１７】
2012137475.tif 000019
【図１８】
2012137475.tif 000020
【図１９】
2012137475.tif 000021
【図２０】
2012137475.tif 000022
【図２１】
2012137475.tif 000023
【図２２】
2012137475.tif 000024
【図２３】
2012137475.tif 000025
【図２４】
2012137475.tif 000026
【図２５】
2012137475.tif 000027
【図２６】
2012137475.tif 000028
【国際調査報告】
2012137475.tif 000029
2012137475.tif 000030
2012137475.tif 000031
2012137475.tif 000032